(57)【要約】【課題】第２チューブ及び第３チューブのそれぞれに設けられるクランプのうちいずれが第３チューブに設けられているかを容易に判断することができる血液バッグシステムを提供する。【解決手段】血液バッグシステム１０の第２チューブ３６及び第３チューブ３８のそれぞれは、第２流路３６ａ及び第３流路３８ａを開放及び閉塞するクランプ４４ａ、４４ｂが装着可能に形成され、第２チューブ３６及び第３チューブ３８の少なくともいずれかには、触覚及び視覚の少なくともいずれかに基づいて第２チューブ３６と第３チューブ３８とを互いに識別するための識別部４６が設けられている。【選択図】図１
2020130601.tif 000002
【特許請求の範囲】
【請求項１】
血液を収容するための第１バッグと、前記第１バッグ内の血液を遠心分離して得られた血液成分を収容するための第２バッグと、添加溶液が収容された第３バッグと、を備え、前記第１バッグに接続された第１チューブは、前記第２バッグに接続された第２チューブと前記第３バッグに接続された第３チューブとに分岐部を介して連結された血液バッグシステムであって、
前記第２チューブ及び前記第３チューブのそれぞれは、流路を開放及び閉塞するクランプが装着可能に形成され、
前記第２チューブ及び前記第３チューブの少なくともいずれかには、触覚及び視覚の少なくともいずれかに基づいて前記第２チューブと前記第３チューブとを互いに識別するための識別部が設けられている、血液バッグシステム。
【請求項２】
請求項１記載の血液バッグシステムであって、
前記識別部は、前記第２チューブ又は前記第３チューブを構成するチューブ部材の少なくとも一部に設けられるとともに前記チューブ部材とは異なる色を有したマーカー部を含む、血液バッグシステム。
【請求項３】
請求項２記載の血液バッグシステムであって、
前記マーカー部は、前記チューブ部材の軸線方向に沿って延在している、血液バッグシステム。
【請求項４】
請求項３記載の血液バッグシステムであって、
前記マーカー部は、前記チューブ部材の周方向に複数配置されている、血液バッグシステム。
【請求項５】
請求項２記載の血液バッグシステムであって、
前記マーカー部は、前記チューブ部材の周方向に沿って延在している、血液バッグシステム。
【請求項６】
請求項３記載の血液バッグシステムであって、
前記マーカー部は、前記チューブ部材の軸線方向及び周方向に対して傾斜する方向に延在している、血液バッグシステム。
【請求項７】
請求項５又は６に記載の血液バッグシステムであって、
前記マーカー部は、前記チューブ部材の軸線方向に複数配置されている、血液バッグシステム。
【請求項８】
請求項２記載の血液バッグシステムであって、
前記マーカー部は、前記チューブ部材の軸線を中心としてらせん状に延在している、血液バッグシステム。
【請求項９】
請求項２記載の血液バッグシステムであって、
前記マーカー部は、前記チューブ部材の周方向に環状に延在するとともに軸線方向に前記チューブ部材の外径よりも長く延びている、血液バッグシステム。
【請求項１０】
請求項２〜９のいずれか１項に記載の血液バッグシステムであって、
前記マーカー部は、前記チューブ部材の外表面に対して突出したものである、血液バッグシステム。
【請求項１１】
請求項１〜１０のいずれか１項に記載の血液バッグシステムであって、
前記識別部は、前記分岐部の近傍に設けられている、血液バッグシステム。
【請求項１２】
請求項１〜１１のいずれか１項に記載の血液バッグシステムであって、
前記第３チューブには、前記識別部が設けられ、
前記第２チューブには、前記識別部が設けられていない、血液バッグシステム。
【発明の詳細な説明】
【技術分野】
【０００１】
本発明は、血液を収容するための第１バッグと、前記第１バッグ内の血液を遠心分離して得られた血液成分を収容するための第２バッグと、添加溶液が収容された第３バッグと、を備えた血液バッグシステムに関する。
【背景技術】
【０００２】
この種の血液バッグシステムにおいて、第１バッグに接続された第１チューブは、第２バッグに接続された第２チューブと第３バッグに接続された第３チューブとに分岐部を介して連結される（例えば、特許文献１参照）。
【先行技術文献】
【特許文献】
【０００３】
【特許文献１】特開２０１６−１０６０１２号公報
【発明の概要】
【発明が解決しようとする課題】
【０００４】
ところで、このような血液バッグシステムは、遠心分離移送装置に装着される。そして、第１バッグ内の血液を遠心分離して得られた血液成分を第２バッグに移送する。その後、第２チューブ及び第３チューブのそれぞれの流路をクランプにより閉塞した状態で、血液バッグシステムを遠心分離移送装置から取り出す。続いて、第３バッグを懸架台に吊るし、第３チューブに設けられたクランプを操作して第３チューブの流路を開放し、第３バッグ内の添加液を第１バッグ内に添加する。
【０００５】
この際、例えば、第２チューブ及び第３チューブのそれぞれに同一の形状及び大きさのクランプが設けられていた場合、どちらのクランプが第３チューブに設けられているかを容易に判断することができないおそれがある。
【０００６】
本発明は、このような課題を考慮してなされたものであり、第２チューブ及び第３チューブのそれぞれに設けられるクランプのうちいずれが第３チューブに設けられているかを容易に判断することができる血液バッグシステムを提供することを目的とする。
【課題を解決するための手段】
【０００７】
本発明の一態様は、血液を収容するための第１バッグと、前記第１バッグ内の血液を遠心分離して得られた血液成分を収容するための第２バッグと、添加溶液が収容された第３バッグと、を備え、前記第１バッグに接続された第１チューブは、前記第２バッグに接続された第２チューブと前記第３バッグに接続された第３チューブとに分岐部を介して連結された血液バッグシステムであって、前記第２チューブ及び前記第３チューブのそれぞれは、流路を開放及び閉塞するクランプが装着可能に形成され、前記第２チューブ及び前記第３チューブの少なくともいずれかには、触覚及び視覚の少なくともいずれかに基づいて前記第２チューブと前記第３チューブとを互いに識別するための識別部が設けられている、血液バッグシステムである。
【発明の効果】
【０００８】
本発明によれば、第２チューブ及び第３チューブの少なくともいずれかに識別部が設けられているため、ユーザは識別部を見る動作及び触る動作の少なくともいずれかにより、どちらが第３チューブであるかを容易に知ることができる。これにより、第２チューブ及び第３チューブのそれぞれに設けられるクランプのうちいずれが第３チューブに設けられているかを容易に判断することができる。
【図面の簡単な説明】
【０００９】
【図１】本発明の一実施形態に係る血液バッグシステムの概略構成図である。
【図２】図２Ａは、図１の血液バッグシステムの分岐コネクタの周辺の一部拡大斜視図であり、図２Ｂは、図２ＡのＩＩＢ−ＩＩＢ線に沿った断面図である。
【図３】図１の血液バッグシステムの作用の説明図である。
【図４】図４Ａは、第１変形例に係る識別部の一部省略斜視説明図であり、図４Ｂは、第２変形例に係る識別部の一部省略斜視説明図である。
【図５】図５Ａは、第３変形例に係る識別部の一部省略斜視説明図であり、図５Ｂは、第４変形例に係る識別部の一部省略斜視説明図である。
【発明を実施するための形態】
【００１０】
以下、本発明に係る血液バッグシステムについて好適な実施形態を挙げ、添付の図面を参照しながら説明する。
【００１１】
図１に示す血液バッグシステム１０は、医療従事者等のユーザにより、図示しない遠心分離移送装置にセットされる。遠心分離移送装置は、血液バッグシステム１０の血液を遠心分離し、複数種類の血液成分を生成して保存する。
【００１２】
血液バッグシステム１０は、遠心分離前の採血に使用される図示しない前処理部と、遠心分離により血液成分を生成して個別に保存する分離処理部１６とを有し、両部を中継チューブ１８で接続している。分離処理部１６は、遠心分離前に、前処理部に繋がる中継チューブ１８が切断されて図１中に示される状態となり、遠心分離移送装置にセットされる。
【００１３】
血液バッグシステム１０の前処理部は、ドナー（供血者）から全血を採取し、また全血から所定の血液成分（例えば、白血球）を除去する。このため前処理部は、採血針、採血バッグ、初流血バッグ、フィルタ（例えば、白血球除去フィルタ）等を有し、複数のチューブにより各部材を接続することで構成される。また分離処理部１６は、中継チューブ１８を介してフィルタの下流側に接続されている。
【００１４】
具体的には、前処理部は、採血針を通して採取したドナーの全血のうち最初の血液を初流血バッグに貯留し、その後に残りの血液を採血バッグに貯留する。さらに前処理部は、採血バッグに貯留された全血をフィルタに流動させることで、フィルタにおいて白血球を除去し、この除去血液（白血球除去血液）を分離処理部１６に移送する。
【００１５】
一方、血液バッグシステム１０の分離処理部１６は、図１に示すように、複数のバッグ２０（血液バッグ２２、ＰＰＰバッグ２４及び薬液バッグ２６）を有し、複数のチューブ３０により各バッグ２０を接続することで構成される。
【００１６】
血液バッグ２２（第１バッグ）は、血液バッグシステム１０の製品提供状態で、前処理部と繋がる中継チューブ１８に直接接続されている。このため、血液バッグ２２は、採血時においてフィルタから移送されてきた除去血液を貯留する。この血液バッグ２２には、遠心分離移送装置の動作により遠心力が付与される。これにより血液バッグ２２の除去血液は、比重の異なる血液成分（乏血小板血漿（platelet poor plasma：ＰＰＰ）、濃厚赤血球（red blood cells：ＲＢＣ））等に遠心分離される。そして、血液バッグ２２は、遠心分離後に遠心分離移送装置の動作下に、ＰＰＰが移送されることで、残留したＲＢＣのみを貯留する。
【００１７】
ＰＰＰバッグ２４（第２バッグ）は、血液バッグ２２からＰＰＰが供給されることで、このＰＰＰを保存する。一方、薬液バッグ２６（第３バッグ）は、ＭＡＰ液、ＳＡＧＭ液、ＯＰＴＩＳＯＬ等の赤血球保存液（添加溶液）を予め収容している。
【００１８】
また、分離処理部１６は、遠心分離移送装置にセットされる前に、セグメントチューブ２８が形成される。セグメントチューブ２８は、ドナーの血液（除去血液）が内部に存在する密閉チューブ２８ａを複数有する。複数の密閉チューブ２８ａは、血液バッグ２２と前処理部（フィルタ）との間を接続していた中継チューブ１８がフィルタ付近で切断され、さらに所定間隔毎にシールされることで一連に連なるように形成される。このセグメントチューブ２８は、ユーザにより必要に応じて切り取られ、血液のチェック等に用いられる。
【００１９】
分離処理部１６の複数のチューブ３０は、分岐部としての分岐コネクタ３２（Ｙ型コネクタ）を介して複数に分岐している。詳細には、複数のチューブ３０は、血液バッグ２２と分岐コネクタ３２を接続する第１チューブ３４、ＰＰＰバッグ２４と分岐コネクタ３２を接続する第２チューブ３６、及び薬液バッグ２６と分岐コネクタ３２を接続する第３チューブ３８を含む。すなわち、血液バッグ２２に接続された第１チューブ３４は、ＰＰＰバッグ２４に接続された第２チューブ３６と薬液バッグ２６に接続された第３チューブ３８とに分岐コネクタ３２を介して連結されている。
【００２０】
第１チューブ３４は第１流路３４ａを有し、第２チューブ３６は第２流路３６ａを有し、第３チューブ３８は第３流路３８ａを有する。第１チューブ３４、第２チューブ３６及び第３チューブ３８のそれぞれは、可撓性を有する。第１流路３４ａ、第２流路３６ａ及び第３流路３８ａは分岐コネクタ３２内の流路を介して相互に連通している。
【００２１】
第１チューブ３４の血液バッグ２２側の端部には、破断可能な封止部材４０（クリックチップ）が設けられている。同様に、第３チューブ３８の薬液バッグ２６側の端部には、破断可能な封止部材４２が設けられている。封止部材４０、４２は、破断操作が行われるまで第１流路３４ａ、第３流路３８ａを遮断し、血液バッグ２２や薬液バッグ２６内の液体を他のバッグ２０に移送することを防止する。
【００２２】
第２チューブ３６及び第３チューブ３８のそれぞれには、クランプ４４ａ、４４ｂが設けられる（取り付けられる）。クランプ４４ａは、第２チューブ３６のうち分岐コネクタ３２側の端部に設けられ、第２流路３６ａを開放及び閉塞する。クランプ４４ｂは、第３チューブ３８のうち分岐コネクタ３２側の端部に設けられ、第３流路３８ａを開放及び閉塞する。クランプ４４ａとクランプ４４ｂは、互いに同一に構成されている。換言すれば、クランプ４４ａ、４４ｂは、形状、大きさ及び色が互いに同一に形成されている。
【００２３】
図２Ａ及び図２Ｂに示すように、第３チューブ３８には、視覚に基づいて第２チューブ３６と第３チューブ３８とを互いに識別するための識別部４６が設けられている。なお、第２チューブ３６には、識別部４６が設けられていない。識別部４６は、第３チューブ３８を構成するチューブ部材４８の外表面に設けられるとともにチューブ部材４８とは異なる色を有した複数（本実施形態では４つ）のマーカー部５０を含む。
【００２４】
マーカー部５０は、チューブ部材４８のうち分岐コネクタ３２側の端部に設けられている。マーカー部５０は、チューブ部材４８の軸線方向に沿って延在している。具体的には、マーカー部５０は、チューブ部材４８のうち分岐コネクタ３２側の端から薬液バッグ２６（図１参照）側に向かってチューブ部材４８の軸線方向に沿って所定長だけ延出している。
【００２５】
マーカー部５０の長さ寸法（チューブ部材４８の軸線方向に沿った長さ寸法）は、任意に設定可能であるが、２ｃｍ以上１５ｃｍ以内の範囲に設定されるのが好ましく、５ｃｍ以上１０ｃｍ以内の範囲に設定されるのがより好ましい。この場合、クランプ４４ｂと一緒にマーカー部５０を容易に視認することができる。
【００２６】
ただし、マーカー部５０の長さは、任意に設定することができる。マーカー部５０は、チューブ部材４８（第３チューブ３８）の全長に亘って延在していてもよい。また、マーカー部５０は、分岐コネクタ３２から離間するようにチューブ部材４８の外周面に設けられていてもよい。
【００２７】
複数のマーカー部５０は、チューブ部材４８の周方向に等間隔に配置されている。換言すれば、マーカー部５０は、互いに平行に延在するように複数設けられている。複数のマーカー部５０の幅寸法（チューブ部材４８の周方向に沿った長さ寸法）は、互いに同一に設定されている。マーカー部５０の幅寸法は、互いに隣り合うマーカー部５０の間隔以上である。この場合、マーカー部５０を目立たせる（視認し易くする）ことができる。
【００２８】
複数のマーカー部５０の幅寸法は、互いに異なっていてもよい。複数のマーカー部５０は、チューブ部材４８の周方向に異なる間隔で配置されていてもよい。マーカー部５０の幅寸法及び互いに隣り合うマーカー部５０の間隔は、任意に設定することができる。マーカー部５０の幅寸法は、互いに隣り合うマーカー部５０の間隔よりも小さくてもよい。マーカー部５０の数は、任意に設定することができ、１つ又は複数（４つ以外）であってもよい。
【００２９】
マーカー部５０の色は、チューブ部材４８の流路（第３流路３８ａ）を流れる液体（赤血球保存液）の色とは異なる色であることが好ましい。マーカー部５０の色は、第２チューブ３６の色とは異なる。具体的には、マーカー部５０の色としては、例えば、黄色、赤色、青色、緑色、紫色、白色、黒色等が挙げられる。マーカー部５０は、チューブ部材４８の外周面に印刷によって設けられる。マーカー部５０は、チューブ部材４８の外周面に対して突出したものである。マーカー部５０の厚さ寸法は、手指によって触った際にチューブ部材４８の外表面とマーカー部５０とを互いに識別可能な大きさに設定するのが好ましい。
【００３０】
本実施形態に係る血液バッグシステム１０は、基本的には以上のように構成されるものであり、以下その作用について説明する。
【００３１】
上述したように、血液バッグシステム１０は、ユーザ（医療従事者）により採血時に前処理部が使用されることで、ドナーの全血から所定成分（白血球）を除いた除去血液を血液バッグ２２に貯留する。血液バッグ２２には、ドナーに応じた適宜の血液量（例えば、４００ｃｃ）の血液が貯留される。
【００３２】
その後、ユーザは、除去血液を遠心分離するために、血液バッグシステム１０の分離処理部１６を前処理部から切り離して遠心分離移送装置にセットする。続いて、遠心分離移送装置により血液バッグ２２内の血液を遠心分離し、遠心分離によって得られた血液成分（ＰＰＰ）をＰＰＰバッグ２４に移送する。そして、第２流路３６ａ及び第３流路３８ａのそれぞれが閉塞されるように第２チューブ３６及び第３チューブ３８のそれぞれにクランプ４４ａ、４４ｂを取り付ける。
【００３３】
図３に示すように、ユーザは、血液バッグシステム１０を遠心分離移送装置から取り外し、薬液バッグ２６を図示しないスタンド（懸架台）に吊り下げる。そして、ユーザは、第３流路３８ａが開放するように第３チューブ３８に設けられたクランプ４４ｂを操作する。この際、ユーザは、第３チューブ３８に設けられたマーカー部５０を視認することにより、２つのクランプ４４ａ、４４ｂのうちどちらが第３チューブ３８に設けられているかを容易に判断することができる。また、ユーザは、マーカー部５０を手指で触ることにより、触覚に基づいて２つのクランプ４４ａ、４４ｂのうちどちらが第３チューブ３８に設けられているかを容易に判断することができる。
【００３４】
これにより、薬液バッグ２６内の赤血球保存液が重力の作用によって、第３チューブ３８、分岐コネクタ３２、第１チューブ３４を通り血液バッグ２２に供給される。この際、クランプ４４ａは、第２チューブ３６の第２流路３６ａを閉塞したままである。そのため、赤血球保存液がＰＰＰバッグ２４内に流入することが防止される。血液バッグ２２には、赤血球保存液を含むＲＢＣが貯留される。
【００３５】
この場合、本実施形態に係る血液バッグシステム１０は、以下の効果を奏する。
【００３６】
血液バッグシステム１０において、第３チューブ３８には、触覚及び視覚の少なくともいずれかに基づいて第２チューブ３６と第３チューブ３８とを互いに識別するための識別部４６が設けられている。
【００３７】
このような構成によれば、ユーザは、識別部４６を見る動作及び触る動作の少なくともいずれかにより、どちらが第３チューブ３８であるかを容易に知ることができる。これにより、第２チューブ３６及び第３チューブ３８のそれぞれに設けられるクランプ４４ａ、４４ｂのうちいずれが第３チューブ３８に設けられているかを容易に判断することができる。
【００３８】
識別部４６は、第３チューブ３８を構成するチューブ部材４８の少なくとも一部に設けられるとともにチューブ部材４８とは異なる色をしたマーカー部５０を含む。
【００３９】
このような構成によれば、マーカー部５０をチューブ部材４８に対して目立たせることができる。
【００４０】
マーカー部５０は、チューブ部材４８の軸線方向に沿って延在している。
【００４１】
このような構成によれば、マーカー部５０がクランプ４４ｂによって隠されることを抑えることができる。
【００４２】
マーカー部５０は、チューブ部材４８の周方向に複数配置されている。
【００４３】
このような構成によれば、ユーザは、チューブ部材４８の周方向の任意の方向からマーカー部５０を容易に視認したり触ったりすることができる。
【００４４】
マーカー部５０は、チューブ部材４８の外表面に対して突出したものである。
【００４５】
このような構成によれば、ユーザは、マーカー部５０を触ることにより、どちらが第３チューブ３８であるかを容易に知ることができる。これにより、第２チューブ３６及び第３チューブ３８のそれぞれに設けられるクランプ４４ａ、４４ｂのうちいずれが第３チューブ３８に設けられているかを容易に判断することができる。
【００４６】
識別部４６は、分岐コネクタ３２の近傍に設けられている。
【００４７】
このような構成によれば、チューブ部材４８のうちクランプ４４ｂが設けられる部位又はその近傍に識別部４６を配置することができる。
【００４８】
第３チューブ３８には、識別部４６が設けられ、第２チューブ３６には識別部４６が設けられていない。
【００４９】
このような構成によれば、血液バッグシステム１０の構成を簡素化することができる。
【００５０】
本発明に係る血液バッグシステム１０は、識別部４６に代えて第１〜第４変形例に係る識別部４６ａ〜４６ｄを備えていてもよい。
【００５１】
（第１変形例）
第１変形例に係る識別部４６ａは、図４Ａに示すように、第３チューブ３８を構成するチューブ部材４８の外表面に設けられるとともにチューブ部材４８とは異なる色を有した複数（図示例では４つ）のマーカー部５０ａを含む。
【００５２】
マーカー部５０ａは、チューブ部材４８の周方向に環状に延在している。マーカー部５０ａの幅寸法（チューブ部材４８の周方向に沿った長さ寸法）は、任意に設定可能であるが、チューブ部材４８の外径よりも短い。複数のマーカー部５０ａは、チューブ部材４８の軸線方向に等間隔に配置されている。換言すれば、マーカー部５０ａは、互いに平行に延在するように複数配置されている。マーカー部５０ａの色としては、上述したマーカー部５０の色と同様のものが挙げられる。マーカー部５０ａは、チューブ部材４８の外周面から突出したものである。
【００５３】
複数のマーカー部５０ａの幅寸法は、互いに異なっていてもよい。複数のマーカー部５０ａは、チューブ部材４８の軸線方向に異なる間隔で配置されていてもよい。マーカー部５０ａの数は、任意に設定することができ、１つ又は複数（４つ以外）であってもよい。マーカー部５０ａは、環状に延在していなくてもよい。すなわち、マーカー部５０ａは、チューブ部材４８の周方向に９０°、１８０°又は２７０°の範囲だけ延在していてもよい。
【００５４】
本変形例に係る識別部４６ａは、上述した識別部４６と同様の効果を奏する。
【００５５】
本変形例において、マーカー部５０ａは、チューブ部材４８の周方向に沿って延在している。
【００５６】
このような構成によれば、ユーザは、チューブ部材４８の周方向の任意の方向からマーカー部５０ａを容易に視認したり触ったりすることができる。
【００５７】
マーカー部５０ａは、チューブ部材４８の軸線方向に複数配置されている。
【００５８】
このような構成によれば、マーカー部５０ａがクランプ４４ｂによって隠されることを抑えることができる。
【００５９】
（第２変形例）
第２変形例に係る識別部４６ｂは、図４Ｂに示すように、第３チューブ３８を構成するチューブ部材４８の外表面に設けられるとともにチューブ部材４８とは異なる色を有した複数（図示例では４つ）のマーカー部５０ｂを含む。
【００６０】
マーカー部５０ｂは、チューブ部材４８の軸線方向及び周方向に対して傾斜する方向に環状に延在している。マーカー部５０ｂの幅寸法は、第１変形例のマーカー部５０ｂと同様に設定される。複数のマーカー部５０ｂは、チューブ部材４８の軸線方向に等間隔に配置されている。換言すれば、マーカー部５０ｂは、互いに平行に延在するように複数配置されている。マーカー部５０ｂの色としては、上述したマーカー部５０の色と同様のものが挙げられる。マーカー部５０ｂは、チューブ部材４８の外周面から突出したものである。
【００６１】
複数のマーカー部５０ｂの幅寸法は、互いに異なっていてもよい。複数のマーカー部５０ｂは、チューブ部材４８の軸線方向に異なる間隔で配置されていてもよい。マーカー部５０ｂの数は、任意に設定することができ、１つ又は複数（４つ以外）であってもよい。マーカー部５０ｂは、環状に延在していなくてもよい。
【００６２】
本変形例に係る識別部４６ｂは、上述した識別部４６及び第１変形例に係る識別部４６ａと同様の効果を奏する。
【００６３】
本変形例において、マーカー部５０ｂは、チューブ部材４８の軸線方向及び周方向に対して傾斜する方向に延在している。
【００６４】
このような構成によれば、ユーザは、チューブ部材４８の周方向の任意の方向からマーカー部５０ｂを容易に視認したり触ったりすることができる。
【００６５】
（第３変形例）
第３変形例に係る識別部４６ｃは、図５Ａに示すように、第３チューブ３８を構成するチューブ部材４８の外表面に設けられるとともにチューブ部材４８とは異なる色を有した１つのマーカー部５０ｃを含む。
【００６６】
マーカー部５０ｃは、チューブ部材４８の軸線を中心としてらせん状に延在している。マーカー部５０ｃの幅寸法は、第１変形例のマーカー部５０ａと同様に設定される。マーカー部５０ｃの色としては、上述したマーカー部５０の色と同様のものが挙げられる。マーカー部５０ｃは、チューブ部材４８の外周面から突出したものである。マーカー部５０ｃの数は、任意に設定することができ、複数であってもよい。
【００６７】
本変形例に係る識別部４６ｃは、上述した識別部４６と同様の効果を奏する。
【００６８】
本変形例において、マーカー部５０ｃは、チューブ部材４８の軸線を中心としてらせん状に延在している。
【００６９】
このような構成によれば、ユーザは、チューブ部材４８の周方向の任意の方向からマーカー部５０ｃを容易に視認したり触ったりすることができる。また、マーカー部５０ｃがクランプ４４ｂによって隠されることを抑えることができる。
【００７０】
（第４変形例）
第４変形例に係る識別部４６ｄは、図５Ｂに示すように、第３チューブ３８を構成するチューブ部材４８の外表面に設けられるとともにチューブ部材４８とは異なる色を有したマーカー部５０ｄを含む。
【００７１】
マーカー部５０ｄは、チューブ部材４８の周方向に環状に延在するとともにチューブ部材４８の軸線方向にチューブ部材４８の外径よりも長く延びている。換言すれば、マーカー部５０ｄの長さ寸法（チューブ部材４８の軸線方向に沿った長さ寸法）は、チューブ部材４８の外周長よりも大きい。すなわち、マーカー部５０ｄは、チューブ部材４８のうち分岐コネクタ３２側の端部の外周面を比較的大きなエリアで覆っている。マーカー部５０ｄの色としては、上述したマーカー部５０の色と同様のものが挙げられる。マーカー部５０ｄは、チューブ部材４８の外周面から突出したものである。
【００７２】
本変形例に係る識別部４６ｄは、上述した識別部４６と同様の効果を奏する。
【００７３】
本変形例において、マーカー部５０ｄは、チューブ部材４８の周方向に環状に延在するとともに軸線方向にチューブ部材４８の外径よりも長く延びている。
【００７４】
このような構成によれば、マーカー部５０ｄをチューブ部材４８に対して目立せることができる。
【００７５】
本発明は、上述した構成に限定されない。マーカー部５０、５０ａ〜５０ｄは、第３チューブ３８の全長に亘って設けられていてもよい。マーカー部５０、５０ａ〜５０ｄは、印刷ではなく、接着剤等によってチューブ部材４８の外周面に接着されていてもよい。また、マーカー部５０、５０ａ〜５０ｄは、チューブ部材４８の壁部内に埋設されていてもよい。識別部４６、４６ａ〜４６ｄは、上述した複数のマーカー部５０、５０ａ〜５０ｄを任意に組み合わせて形成してもよい。
【００７６】
識別部４６、４６ａ〜４６ｄは、マーカー部５０、５０ａ〜５０ｄの外表面に凹凸を形成することにより、第２チューブ３６及び第３チューブ３８の触感を異ならせてもよい。この場合、触覚及び視覚の両方に基づいて第２チューブ３６と第３チューブ３８とを互いに識別することができる。また、識別部は、マーカー部５０、５０ａ〜５０ｄを設けることなく第２チューブ３６又は第３チューブ３８のいずれかの外表面に凹凸を形成することにより構成してもよい。この場合、触覚に基づいて第２チューブ３６と第３チューブ３８とを互いに識別することができる。マーカー部５０、５０ａ〜５０ｄの厚さ寸法は、手指によってチューブ部材４８の外表面とマーカー部５０、５０ａ〜５０ｄとをほとんど識別できない程度に薄くてもよい。マーカー部５０、５０ａ〜５０ｄは、チューブ部材４８の内周面に設けられていてもよい。
【００７７】
血液バッグシステム１０は、第２チューブ３６に識別部４６、４６ａ〜４６ｄを設け、第３チューブ３８に識別部４６、４６ａ〜４６ｄを設けなくてもよい。また、血液バッグシステム１０は、第２チューブ３６及び第３チューブ３８のそれぞれに互いに異なる形態の識別部４６、４６ａ〜４６ｄを設けてもよい。
【００７８】
本発明は上述した実施形態に限定されるものではなく、本発明の要旨を逸脱しない範囲において、種々の改変が可能である。
【００７９】
以上の実施形態をまとめると、以下のようになる。
【００８０】
上記実施形態は、血液を収容するための第１バッグ（２２）と、前記第１バッグ（２２）内の血液を遠心分離して得られた血液成分を収容するための第２バッグ（２４）と、添加溶液が収容された第３バッグ（２６）と、を備え、前記第１バッグ（２２）に接続された第１チューブ（３４）は、前記第２バッグ（２４）に接続された第２チューブ（３６）と前記第３バッグ（２６）に接続された第３チューブ（３８）とに分岐部（３２）を介して連結された血液バッグシステム（１０）であって、前記第２チューブ（３６）及び前記第３チューブ（３８）のそれぞれは、流路（３６ａ、３８ａ）を開放及び閉塞するクランプ（４４ａ、４４ｂ）が装着可能に形成され、前記第２チューブ（３６）及び前記第３チューブ（３８）の少なくともいずれかには、触覚及び視覚の少なくともいずれかに基づいて前記第２チューブ（３６）と前記第３チューブ（３８）とを互いに識別するための識別部（４６、４６ａ〜４６ｄ）が設けられている、血液バッグシステム（１０）を開示している。
【００８１】
前記識別部（４６、４６ａ〜４６ｄ）は、前記第２チューブ（３６）又は前記第３チューブ（３８）を構成するチューブ部材（４８）の少なくとも一部に設けられるとともに前記チューブ部材（４８）とは異なる色を有したマーカー部（５０、５０ａ〜５０ｄ）を含んでいてもよい。
【００８２】
前記マーカー部（５０、５０ｄ）は、前記チューブ部材（４８）の軸線方向に沿って延在していてもよい。
【００８３】
前記マーカー部（５０）は、前記チューブ部材（４８）の周方向に複数配置されていてもよい。
【００８４】
前記マーカー部（５０ａ）は、前記チューブ部材（４８）の周方向に沿って延在していてもよい。
【００８５】
前記マーカー部（５０ｂ）は、前記チューブ部材（４８）の軸線方向及び周方向に対して傾斜する方向に延在していてもよい。
【００８６】
前記マーカー部（５０ａ、５０ｂ）は、前記チューブ部材（４８）の軸線方向に複数配置されていてもよい。
【００８７】
前記マーカー部（５０ｃ）は、前記チューブ部材（４８）の軸線を中心としてらせん状に延在していてもよい。
【００８８】
前記マーカー部（５０ｄ）は、前記チューブ部材（４８）の周方向に環状に延在するとともに軸線方向に前記チューブ部材（４８）の外径よりも長く延びていてもよい。
【００８９】
前記マーカー部（５０、５０ａ〜５０ｄ）は、前記チューブ部材（４８）の外表面に対して突出したものであってもよい。
【００９０】
前記識別部（４６、４６ａ〜４６ｄ）は、前記分岐部（３２）の近傍に設けられていてもよい。
【００９１】
前記第３チューブ（３８）には、前記識別部（４６、４６ａ〜４６ｄ）が設けられ、前記第２チューブ（３６）には、前記識別部（４６、４６ａ〜４６ｄ）が設けられていなくてもよい。
【符号の説明】
【００９２】
１０…血液バッグシステム                ２２…血液バッグ（第１バッグ）
２４…ＰＰＰバッグ（第２バッグ）        ２６…薬液バッグ（第３バッグ）
３２…分岐コネクタ（分岐部）            ３４…第１チューブ
３６…第２チューブ                      ３６ａ…第２流路
３８…第３チューブ                      ３８ａ…第３流路
４４ａ、４４ｂ…クランプ                ４６、４６ａ〜４６ｄ…識別部
５０、５０ａ〜５０ｄ…マーカー部
【図１】
2020130601.tif 000003
【図２】
2020130601.tif 000004
【図３】
2020130601.tif 000005
【図４】
2020130601.tif 000006
【図５】
2020130601.tif 000007